(57)【特許請求の範囲】
【請求項１】
２階建以上の住宅や事務所等に取り付ける手動式緊急避難具であって、前記避難具本体内に上下移動可能なＢＯＸを設け、前記避難具本体内の最上階部に上ドアを開くための上開具を設け、前記上ドアを閉止する上ドア止具を設け、前記ＢＯＸの下降を防止する下降安全具を設けると共に、前記ＢＯＸ内には、前記下降安全具から解除される下降スタート具を設け、前記ＢＯＸは重りにて前記最上階へ移動し、一定の位置に保持されると共に、前記避難具本体内の最下階部に、下ドアを開くための下開具を設け、前記下ドアを閉止する下ドア止具を設け、前記ＢＯＸの上昇を防止する上昇安全具を設けると共に、前記上昇安全具から解除する解除具を設けてなり、前記ＢＯＸの落下速度を調整する昇降調整具を設け、前記ＢＯＸは、前記避難具本体内に設けたレールに沿って上下移動し、前記上開具は、押圧板の中心に軸を設け、下端に押圧部を、上端にワイヤーの一端を固着し、下部には常時前記ワイヤーを下方に押圧する押圧具を設けてなる構成であることを特徴とする手動式緊急避難具。
【請求項２】
前記上ドア止具は、前記ＢＯＸ上面に当接し、上下方向へ移動する移動部と、前記移動部と連動する係止部と、常時前記係止部を下方へ押圧している押圧具より構成されることを特徴とする請求項１記載の手動式緊急避難具。
【請求項３】
前記下降安全具は、上係止溝を形設してなる案内台と、前記ワイヤーの他端に設けてなる係止板とから構成されることを特徴とする請求項１又は２記載の手動式緊急避難具。
【請求項４】
前記下降安全具から解除される下降スタート具は、前記ＢＯＸ内から外へ突設した枠の先端中央に、案内台の上係止溝に係止する係止棒と、前記枠の後部に前記枠を前後に作動させる作動具を設けてなることを特徴とする請求項１、２又は３記載の手動式緊急避難具。
【請求項５】
前記下降安全具から解除される下降スタート具は、係止棒の両側に突出した係止片を一本的に形設してなることを特徴とする請求項４記載の手動式緊急避難具。
【請求項６】
前記下開具は、押圧板の中心に軸を設け、上端に押圧部を、下端にワイヤーの一端を固着し、他端には常時前記ワイヤーを上方に押圧する押圧具を設けてなる構成であることを特徴とする請求項１、２、３、４又は５記載の手動式緊急避難具。
【請求項７】
前記下ドア止具は、前記ＢＯＸの下面に当接し、上下方向へ移動する移動部と、前記移動部と連動する係止部と、常時前記係止部を上方へ押圧している押圧具より構成されることを特徴とする請求項１、２、３、４、５又は６記載の手動式緊急避難具。
【請求項８】
前記上昇安全具が、下係止溝を形設してなる案内台であることを特徴とする請求項１、２、３、４、５、６又は７記載の手動式緊急避難具。
【請求項９】
前記解除具が、前記ワイヤーの他端に連接した山形スライド体であることを特徴とする請求項１、２、３、４、５、６、７又は８記載の手動式緊急避難具。
【発明の詳細な説明】
【技術分野】
【０００１】  本発明は、主に２階建以上の住宅等の側面に取り付ける手動式緊急避難具に関するものである。
【背景技術】
【０００２】  従来の技術としては、１人の人間乗用時の乗用かごと、つり合いのとれた重量の組合せ式のつり合おもりとを、ワイヤーロープで連結し昇降路内の上部にある滑車にてバランスよくつり下げた状態とする、そして乗用かごに固着したハンドルを自力で軽く回す事で、ハンドルに仕組まれた歯車によって別に自立固定した歯型ガイドレールに導かれ、乗用かごが上、下階へ軽く移動する、手動の自力乗用昇降装置がある。（特許文献１参照）【０００３】  また、他の従来技術として、建物躯体に対し昇降自在としたかごの外面に、固定側フレームに対して軸支した固定滑車と移動側フレームに対して軸支した移動滑車とそれらに巻き掛けるケーブルとからなる巻揚装置の固定側フレームを支架するとともに、巻揚装置を駆動さす油圧シリンダ装置のシリンダの基端側を支架し、そのシリンダに出入自在に嵌合するピストンロッドの先端側に巻揚装置の移動側フレームを支架し、前記巻揚装置のケーブルを、それの一端側を固定側フレームに対し連繋して固定滑車と移動滑車とに巻き掛け、それの他端側を建物躯体の上部に配設する滑車に導いて下方に折り返してかごの上面側に連繋するものがある。（特許文献２参照）
【先行技術文献】
【特許文献】
【０００４】
【特許文献１】  特開平０６−２６３３６４号公報
【特許文献２】  特開平０９−２８６５７４号公報
【発明の概要】
【発明が解決しようとする課題】
【０００５】  上記前者は、ハンドルを回し続けなければ、上下移動するものができず、よって、老人や身障者が使用できるレベルではない。【０００６】  上記後者は、電源が遮断された非常時において、油圧により緊急に降下させるもので、コスト的に高くなり、また、長期に使用しない場合、油漏れ等の危険性があり、定期的なメンテナンスが必要であり、基本的に電源仕様である。【０００７】  本発明は、上記従来の構成が有していた問題を解決しようとするもので、下降スタート具を作動させるだけで、ＢＯＸが下降し、最下階に着いた時点で別他方のＢＯＸが最上階にて保持されてなる。また、下ドアが開き、外に出た後、再度下ドアを締めることにより、自動的にＢＯＸが上昇し、上階についた時点で自動的に上ドアが開き、次の方が自然に入り易い構成としてなる手動式緊急避難具を提供することを目的とする。
【課題を解決するための手段】
【０００８】  本発明は上記目的を達成するため、２階建以上の住宅や事務所等に取り付ける手動式緊急避難具であって、避難具本体内に２台の上下移動可能なＢＯＸを設け、各ＢＯＸの下降を防止する下降安全具を設けると共に、下降安全具から解除される加工スタート具を設け、２台のＢＯＸが交互に上下動させることを特徴とする手動式緊急避難具。２階建以上の住宅や事務所等に取り付ける手動式緊急避難具であって、避難具本体内に上下移動可能なＢＯＸを設け、避難具本体内の最上階部に上ドアの開くための上開具を設け、ドアを閉止する上ドア止具を設け、ＢＯＸの下降を防止する下降安全具を設けると共に、ＢＯＸ内には、下降安全具から解除される下降スタート具を設け、ＢＯＸは重りにて最上階へ移動し、一定の位置に保持される。
避難具本体内の最下階部に、下ドアを開くための下開具を設け、下ドアを閉止する下ドア止具を設け、ＢＯＸの上昇を防止する上昇安全具を設けると共に、上昇安全具から解除する解除具を設けてなる。
ＢＯＸの落下速度を調整する昇降調整具を設けてなる。
ＢＯＸは、避難具本体内に設けたレールに沿って上下移動する。
上閉具は、押圧板の中心に軸を設け、下端に押圧部を、上端にワイヤーの一端を固着し、下部には常時ワイヤーを下方に押圧する押圧具を設けてなる構成である。
上ドア止具は、ＢＯＸ上面に当接し、上下方向へ移動する移動部と、移動部と連動する係止部と、常時係止部を下方へ押圧している押圧具より構成される。
下降安全具は、上係止溝を形設してなる案内台と、ワイヤーの他端に設けてなる係止板とから構成される。
下降スタート具は、ＢＯＸ内から外へ突設した枠の先端中央に、案内台の上係止溝に係止する係止棒と、両側に突出した係止片を一体的に形設すると共に、枠の後部に枠を前後に作動させる作動具を設けてなる。
下閉具は、押圧板の中心に軸を設け、上端に押圧部を、下端にワイヤーの一端を固着し、他端には常時ワイヤーを上方に押圧する押圧具を設けてなる構成である。
下ドア止具は、ＢＯＸの下面に当接し、上下方向へ移動する移動部と、移動部と連動する係止部と、常時係止部を上方へ押圧している押圧具より構成される。
上昇安全具が、下係止溝を形設してなる案内台である。
解除具が、ワイヤーの他端に連設した山形スライド体である。
重りは、ワイヤーにより昇降調整具を介してＢＯＸに連設してなる。
【発明の効果】
【０００９】１）、２台の上下移動可能なＢＯＸを、下降スタート具と案内台により、交互にＢＯＸを最上階に保持させ、使用できるため避難の効率がよい。
２）、最上階において、例えば下階より火災が発生した時、掛金を回して上ドアを開けてＢＯＸ内に入り、上ドアを閉めることにより係止板が外れ、いつでも下降できる状態になり、下降スタート具を作動（手前に引く）させることにより下降安全具よりロック解除され、自重により下降することができる。
３）、誰でも簡単な操作により下降することができる。
４）、重りと昇降調整具のバランスにより、下降スピードや上昇スピードを変えることにより、安全に使用できるものである。
５）、上ドア止具は、最上階にＢＯＸが着いた時点で、上ドアのロックを解除するもので、次の方がすぐにＢＯＸ内に入ることができる。
６）、上開具は、最上階にＢＯＸが着いた時点で、上記上ドア止具と連動し、上ドアを押し出し、自動的に上ドアを開くことができる。
７）、下降安全具は、案内台と係止板より構成され、人がＢＯＸ内に入り、上ドアを閉めると係止板が上昇し、案内台の上係止溝に下降スタート具の係止棒が係止されて保持されており、いつでも下降できる状態になっている。
８）、下降スタート具は、枠（作動具）を手前に引くことにより、係止棒が上係止溝より外れ、ＢＯＸが下降することができる。
９）、最上階において、ＢＯＸが下降し、着いた時点で、下ドアが自動的に開き、外へ出た後に、下ドアを閉めることにより下開具及び解除具が作動し、上昇安全具より下降スタート具の係止棒が外れ、自動的にＢＯＸが上昇し、最上階に着くことができる。
１０）、下ドア止具は、最下階にＢＯＸが着いた時点で、上記下ドアのロックを解除することができる。
１１）、下開具は、最下階にＢＯＸが着いた時点で、上記下ドアと連動し、下ドアを押し出し、自動的に下ドアを開き、すぐに外に出ることができる。
１２）、上昇安全具は、案内台の下係止溝に下降スタート具の係止棒を確実に係止固定し、ＢＯＸの上昇を防止することができる。
１３）、解除具は、下ドアを締めることにより下開具のワイヤーと連動し、山形スライド体にて下降スタート具の係止片を押し上げることにより案内台（上昇安全具）より外れ、重りにより自動的に最上階へＢＯＸを上昇させることができる。
【図面の簡単な説明】
【００１０】
【図１】本発明の第１実施例を示す手動式緊急避難具の一部を省略した一部縦断右側面図。
【図２】本発明の第１実施例を示す手動式緊急避難具のＢＯＸの最上階の一部縦断正面図。
【図３】本発明の第１実施例を示す手動式緊急避難具の下降スタート具周囲の一部縦断平面図。
【図４】本発明の第２実施例を示す手動式緊急避難具のＢＯＸが最上階へ移動した時の一部縦断正面図。
【図５】本発明の第２実施例を示す手動式緊急避難具のＢＯＸが最上階へ移動した時の一部縦断右面図。
【図６】本発明の第２実施例を示す手動式緊急避難具の下降スタート具周囲の一部縦断右側面図。
【図７】本発明の第２実施例を示す手動式緊急避難具の下降スタート具周囲の一部横断平面図。
【図８】本発明の第２実施例を示す手動式緊急避難具のＢＯＸが最下階へ移動した時の一部縦断正面図。
【図９】本発明の第２実施例を示す手動式緊急避難具のＢＯＸが最下階へ移動した時の一部縦断右側面図。
【図１０】本発明の第２実施例を示す手動式緊急避難具の施行例の一部縦断正面図。
【図１１】本発明の第２実施例を示す手動式緊急避難具のスタート時の一部縦断正面図。
【図１２】本発明の手動式緊急避難具のスタート時の一部縦断平面図。
【図１３】本発明の第２実施例を示す手動式緊急避難具の着地時の一部縦断正面図。
【図１４】本発明の第２実施例を示す手動式緊急避難具の着地時の一部縦断平面図。
【図１５】本発明の第２実施例を示す手動式緊急避難具の再使用時の一部縦断正面図。
【発明を実施するための形態】
【００１１】ａは、２階以上の住宅や事務所等のベランダや側壁に取り付ける手動式緊急避難具である。
ｂは、建物２階以上の高さを有する平面四角形の２つの中空体ｂ１による避難具本体で、両側内面にレールｂ２を設けると共に、前面に開閉自在な上ドアｂ３及び下ドアｂ４を設けてある。
ｃは、人が乗り降りするＢＯＸで、少なくとも前面ｃ１は開口し、側板ｃ２外側に上記レールｂ２に装着するローラーｃ３を設けてなる。
ｄは、柱体ｄ１の上部に上係止溝ｄ２を形設してなる案内台である。
ｅはＢＯＸｃ内の側板ｃ２から外へ突設した平面コの字形の枠ｅ１の先端中央に、上記案内台ｄの上係止溝ｄ２に係止する係止棒ｅ２と、枠ｅ１の後部に、枠ｅ１を前後に作動させる引張りスプリングによる作動具ｅ３を設け、必要に応じて取手ｅ４を設けてなる下降スタート具である。
ｆは、上記ＢＯＸｃの落下速度を調整する遠心ブレーキによる昇降調整具であり避難具本体ｂの天井に、２箇所取り付けてあり、ＢＯＸｃ・ｃをワイヤーｆ１にて連結してある。
Ｇは、クッションである。
【００１２】上記手動式緊急避難具ａの使用例について説明する。
例えば、３階の高さの家（図示せず）のベランダ（図示せず）等に手動式緊急避難具ａを取り付ける。
この状態で、３階で火災が発生した場合、ベランダより上ドアｂ３を開き、ＢＯＸｃ内に入り、必要に応じて上ドアｂ３を締める。
つぎに、下降スタート具ｅの取手ｅ４を手前に引くことにより作動具ｅ３が伸び、係止棒ｅ２が案内台ｄの上係止溝ｄ２より外れる（解除）ことによりＢＯＸ２（左側）が下降する。
この時、係止棒ｅ２は柱体ｄ１の上面を回転して下降する。
また、ワイヤーｆ１にて昇降調整具ｆを介して、適速で下降すると共に、もう一方のＢＯＸｃ（右側）が上昇し、３階に着いた時点で、下降スタート具ｅの係止棒ｅ２が上係止溝ｄ２に入り込みロックされる。
上記の動きを交互に繰り返すことにより、３階の人Ｈを１階へ避難させることができる。
【００１３】  つぎに、第２実施例の手動式緊急避難具１について説明する。
１は、２階建以上の住宅や事務所等のベランダや側壁に取り付ける手動式緊急避難具である。
２は、建物２階以上の高さを有する平面四角形の中空体による避難具本体であり、両側内面にレール２ａを設けると共に、前面に開閉自在な上ドア２ｂを設けてある。
３は、人が乗り降りするＢＯＸで、前面３ａと後面３ｂを開口してなり、側板３ｃ外側に上記レール２ａに装着するローラー３ｄを設けてある。
４は、上記避難具本体２内の最上階部の上記上ドア２ｂを押圧する押圧板４ａの中心に軸４ａ１を設け、下端に円柱状の押圧部４ｂを、上端にワイヤー４ｃの一端を固着し、下部には常時ワイヤー４ｃを下方に押圧する圧縮スプリングによる押圧具４ｄを設けてなる上開具である。
５は、上記ＢＯＸ３の上面に当接し、上下方向に移動する平板の移動部５ａと、移動部５ａと連結する下方に突出したピン状の係止部５ｂと、常時係止部５ｂを下方へ押圧している圧縮スプリングによる押圧具５ｃを設けてある上ドア止具である。
６は、柱体６ａ２の上部に上係止溝６ａ１を形設してなる案内台６ａと、ワイヤー４ｃの他端に設けてなる係止板６ｂとからなる下降安全具である。
７は、ＢＯＸ３内の側板３ｃから外へ突設した平面コの字形の枠７ａの先端中央に、上記案内台６ａの上係止溝６ａ１に係止する係止棒７ｂと、両側に突出した係止片７ｃを一体に形設すると共に、枠７ａの後部に枠７ａを前後に作動させる引張りスプリングによる作動具７ｄを設け、必要に応じて取手７ｅを設けてなる下降スタート具である。
８は、上記ＢＯＸ３の落下速度を調整する遠心ブレーキによる昇降調整具であり、避難具本体２の天井に取り付けてある。
９は、重りで、ワイヤー９ａにより上記昇降調整具８を介してＢＯＸ３の上面に連設してある。
１０は、上記避難具本体２内の最下階部に設けてなる下開具であり、下ドア２ｃを押圧する押圧板１０ａの中心に軸１０ａ１を設け、上端に円柱状の押圧部１０ｂを、下端にワイヤー１０ｃを上方に押圧する引張りスプリングによる押圧具１０ｄを設けてなるものである。
１１は、上記ＢＯＸ３の下面に当接、上下方向に移動する略Ｌ字形の移動部１１ａと、移動部１１ａと連動する上方に突出した係止部１１ｂと、常時係止部１１ｂを上方へ押圧している圧縮スプリングによる押圧具１１ｃを設けてある下ドア止具である。
１２は、上記柱体６ａ２の下部に下係止溝１２ａを形設してなる案内台による上昇安全具である。
１３は、上記ワイヤー１０ｃの他端に押圧具１０ｄを介して連設した柱体６ａ２より適宜突出してなる山形スライド体による解除具である。
１４は、クッションである。
【００１４】  上記手動式緊急避難具１の使用例について説明する。
例えば、火災時の手動式緊急避難具１として３階建物ＴＭのベランダＢ及び側壁Ｓに沿って取り付けられる。
この状態で、２階ＮＩで火災ＫＳが行った時、３階ＳＡにいる人Ｈは、素早くベランダＢに出て、掛金（図示せず）を回すと上ドア２ｂが開くので、ＢＯＸ３内に入り、上ドア２ｂを閉じることにより、上ドア止具５の係止部５ｂによりロックをすると同時に、上ドア２ｂにより押圧板４ａに設けた押圧部４ｂが内側に押されることによりワイヤー４ｃが引っ張られることにより押圧具４ｄが圧縮され、下降安全具６の係止板６ｂが上昇し、ロック解除となる。
つぎに、手Ｔで下降スタート具７の取手７ｅを手前に引くことにより作動具７ｄが伸び案内台６ａの上係止溝６ａ１より係止棒７ｂが外れ、昇降調整具８と重り９のバランスによりＢＯＸ３が、ローラー３ｄを介してレール２ａに沿って下降する。
【００１５】  １階ＩＫにＢＯＸ３が着いた時点で、ＢＯＸ３の底面が下ドア止具１１の移動部１１ａに当接し、下方に押し下げることにより、係止部１１ｂが下がると同時に、押圧板１０ａに設けた押圧部１０ｂが外側に押圧具１０ｄ（引張りスプリング）にて押圧することにより下ドア２ｃが自動的に開き、人Ｈは素早く外に出ることができる。
【００１６】  なお、３階ＳＡに他の人がいる場合には、素早く下ドア２ｃを締めることにより、下ドア止具１１の係止部１１ｂにて下ドア２ｃがロックされると同時に、押圧板１０ａに設けた押圧部１０ｂが内側に押され、ワイヤー１０ｃにより解除具１３が下方に引き下げられ、係止片７ｃ（左側）が水平方向（内側）に押し出されることにより係止棒７ｂが上昇安全具１２の下係止溝１２ａより外れ自動的にＢＯＸ３が上昇するものである。
【００１７】  上昇したＢＯＸ３は、３階ＳＡに着いた時点で、ＢＯＸ３の上面にて上ドア止部５の係止部５ｂが上昇し、上ドア２ｂのロックを解除すると同時に、押圧板４ａに設けた押圧部４ｂが押圧具４ｄの反力により上ドア２ｂを開放する。
この時、下降スタート具７の係止棒７ｂは案内台６ａの柱体６ａ２を通って、作動具７ｄの反力により上係止溝６ａ１に係止棒７ｂが自動的係止固定され、かつ、押圧具４ｄの反力により係止板６ｂが下方に突出し、係止片７ｃ（右側）が係止されるもので、次の人が使用できる状態となるものである。
【００１８】  なお、上記実施例における各部材は、同様な機能を有するものであれば他の形態のものも一考である。
【符号の説明】
【００１９】ａ−−−−−手動式緊急避難具
ｂ−−−−−避難具本体
ｂ１−−−−中空体
ｂ２−−−−レール
ｂ３−−−−上ドア
ｂ４−−−−下ドア
ｃ−−−−−ＢＯＸ
ｃ１−−−−前面
ｃ２−−−−側板
ｃ３−−−−ローラー
ｄ−−−−−案内台
ｄ１−−−−柱体
ｄ２−−−−上係止溝
ｅ−−−−−下降スタート具
ｅ１−−−−枠
ｅ２−−−−係止棒
ｅ３−−−−作動具
ｅ４−−−−取手
ｆ−−−−−昇降調整具
ｆ１−−−−ワイヤー
Ｇ−−−−−クッション
１−−−−−手動式緊急避難具
２−−−−−避難具本体
２ａ−−−−レール
２ｂ−−−−上ドア
３−−−−−ＢＯＸ
３ａ−−−−前面
３ｂ−−−−後面
３ｃ−−−−側板
３ｄ−−−−ローラー
４−−−−−上開具
４ａ−−−−押圧板
４ａ１−−−軸
４ｂ−−−−押圧部
４ｃ−−−−ワイヤー
４ｄ−−−−押圧具
５−−−−−上ドア止具
５ａ−−−−移動部
５ｂ−−−−係止部
５ｃ−−−−押圧具
６−−−−−下降安全具
６ａ２−−−柱体
６ａ１−−−上係止溝
６ａ−−−−案内台
６ｂ−−−−係止板
７−−−−−下降スタート具
７ａ−−−−枠
７ｂ−−−−係止棒
７ｃ−−−−係止片
７ｄ−−−−作動具
７ｅ−−−−取手
８−−−−−昇降調整具
９−−−−−重り
９ａ−−−−ワイヤー
１０−−−−下閉具
２ｃ−−−−下ドア
１０ａ−−−押圧板
１０ａ１−−軸
１０ｂ−−−押圧部
１０ｃ−−−ワイヤー
１０ｄ−−−押圧具
１１−−−−下ドア止具
１１ａ−−−移動部
１１ｂ−−−係止部
１１ｃ−−−押圧具
１２−−−−上昇安全具
１２ａ−−−下係止溝
１３−−−−解除具
１４−−−−クッション
ＴＭ−−−−３階建物
Ｂ−−−−−ベランダ
Ｓ−−−−−側壁
ＮＩ−−−−２階
ＫＳ−−−−火災
ＳＡ−−−−３階
Ｈ−−−−−人
Ｔ−−−−−手
ＩＫ−−−−１階
【図１】
0005545468.tif 000002
【図２】
0005545468.tif 000003
【図３】
0005545468.tif 000004
【図４】
0005545468.tif 000005
【図５】
0005545468.tif 000006
【図６】
0005545468.tif 000007
【図７】
0005545468.tif 000008
【図８】
0005545468.tif 000009
【図９】
0005545468.tif 000010
【図１０】
0005545468.tif 000011
【図１１】
0005545468.tif 000012
【図１２】
0005545468.tif 000013
【図１３】
0005545468.tif 000014
【図１４】
0005545468.tif 000015
【図１５】
0005545468.tif 000016